(57)【特許請求の範囲】
【請求項１】
原稿画像を走査して読み取った画像データに画像処理を施し出力画像データを出力する画像処理装置において、
前記原稿画像を走査して前記画像データを読み取る読取手段と、
前記原稿画像に対する出力倍率として等倍情報又は変倍情報を入力する倍率指示手段と、
前記読取手段で読み取った前記画像データから特定画像を認識する特定画像認識手段と、
特定画像認識手段の認識結果に基づいて、前記画像データに画像処理を施す画像処理手段と、
前記倍率指示手段によって入力された倍率が等倍情報である場合には等倍で画像データを読み取るように読取手段を制御し、前記倍率指示手段によって入力された倍率が変倍情報である場合には変倍で画像データを読み取る動作に加え、等倍の画像データも読み取るように読取手段を制御するとともに前記特定画像認識手段に対し前記等倍の画像データについて特定画像の認識を行わせる読取制御手段と
を具備することを特徴とする画像処理装置。
【請求項２】
前記画像認識手段による特定画像の認識結果に基づいて、出力画像データの出力を禁止する出力制御手段を具備することを特徴とする請求項１記載の画像処理装置。
【発明の詳細な説明】
【０００１】
【発明の属する技術分野】
この発明は、原稿を読み取り、カラー画像処理を行うデジタル複写機等の画像処理装置に関する。
【０００２】
【従来の技術】
従来、デジタル（カラー）複写機等においては、紙幣等の複写禁止原稿を、パターンマッチング等を行う画像認識手段により認識し、複写禁止原稿であることを認識した場合には、正常な画像の出力を禁止する偽造防止機能を有する画像処理装置を備えるものがある。
【０００３】
従来のデジタル複写機では、拡大縮小などを行い出力する場合には、イメージスキャナでの画像読み取り走査速度を倍率によって制御し、イメージスキャナの移動方向（副走査方向）のみ倍率を変えて画像を読み取る変倍処理を行い、その変倍処理された画像データをデジタル画像処理にて主走査方向を変倍し出力する。
【０００４】
例えば、特開平２−２０１６９０公報では、等倍以外の画像データについても認識可能にするために、いったん取り込まれた入力画像データから変倍率情報により拡大縮小して正規化した画像データを形成し、認識手段により、特定パターンの有無または類似度を求める技術が開示されている。
【０００５】
また、特開平７−１３１６００公報では、画像データを出力するためのコピースキャン動作の前にプレスキヤン動作を行い、該プレスキヤン動作で読み取った画像データが複写禁止原稿であるか否かを判別し、複写禁止原稿であった場合には、コピースキャンを行わないようにする画像形成装置が提案されている。
【０００６】
【発明が解決しようとする課題】
しかしながら、上記特開平２−２０１６９０では、いったん取り込まれた入力画像を正規化するための拡大縮小部が必要となり、回路が大規模になりコスト高になる。また、拡大縮小処理により画質が劣化し、忠実な原稿情報が得られなくなり、偽造防止機能の認識精度が低下するという問題点があった。
【０００７】
また、上記特開平７−１３１６００では、等倍であろと、変倍であろうと、全てのモードにおいてプレスキャン動作を行うため、単位時間当たりのコピー枚数が少なくなり全体の生産性が低下するという問題点があった。
【０００８】
この発明は上述した事情に鑑みてなされたもので、原稿の出力倍率を変えて出力する場合でも、認識精度の低下がなく、低コストで、特定画像であることを認識することができ、また、全体の生産性低下を最小限に抑えることができる画後処理装置を提供することを目的としている。
【０００９】
【課題を解決するための手段】
上記課題を解決するため、本発明は、原稿画像を走査して読み取った画像データに画像処理を施し出力画像データを出力する画像処理装置において、前記原稿画像を走査して前記画像データを読み取る読取手段と、前記原稿画像に対する出力倍率として等倍情報又は変倍情報を入力する倍率指示手段と、前記読取手段で読み取った前記画像データから特定画像を認識する特定画像認識手段と、特定画像認識手段の認識結果に基づいて、前記画像データに画像処理を施す画像処理手段と、前記倍率指示手段によって入力された倍率が等倍情報である場合には等倍で画像データを読み取るように読取手段を制御し、前記倍率指示手段によって入力された倍率が変倍情報である場合には変倍で画像データを読み取る動作に加え、等倍の画像データも読み取るように読取手段を制御するとともに前記特定画像認識手段に対し前記等倍の画像データについて特定画像の認識を行わせる読取制御手段と を具備することを特徴とする画像処理装置。
【００１０】
本発明の好ましい態様においては、前記画像認識手段による特定画像の認識結果に基づいて、出力画像データの出力を禁止する出力制御手段を具備するようにしてもよい。
【００１９】
本発明における画像処理装置においては、倍率指示手段によって入力された倍率が等倍情報である場合には等倍で画像データを読み取り、読み取った画像データから特定画像を認識し、認識結果に基づいて画像処理を施す。一方、倍率指示手段によって入力された倍率が変倍情報である場合には、変倍で画像データを読み取る動作に加え、等倍で画像データを読み取り、等倍の画像データから特定画像を認識し、認識結果に基づいて変倍の画像データに画像処理を施す。このように２つの画像データ、つまり等倍の画像データと変倍の画像データを生成するのは倍率指示手段によって入力された情報が変倍情報である場合のみであるため、特定画像認識を行うための等倍の画像データを常に生成する場合に比べて全体のコピー生産性が向上する。
【００２５】
また、特定画像認識手段は、変倍を行う行わないに関わらず、常に、同じ解像度の画像データに対して認識処理を施せばよく、解像度変換回路が不要になる。また、変倍された画像に基づいて認識したり、変倍画像を解像度変換した画像に基づいて認識したりすると認識率が悪くないり、また複写禁止原稿でない一般原稿を複写禁止原稿と誤認識してしまう問題があるが、本画像処理装置では、解像度変換による認識精度の低下が少ない偽造防止機能を提供することができる。
【００２６】
【発明の実施の形態】
次に図面を参照してこの発明の実施形態について説明する。
Ａ．第１の実施形態
Ａ−１．第１の実施形態の構成
図１は、本発明の画像処理装置を適用したカラー複写機の構成の一例を示すブロック図である。図において、カラー複写機は、ユーザインターフェース１、制御装置２、画像読み取り部３、画像処理部４および画像出力部５から構成されている。
【００２７】
ユーザインターフェース１は、ユーザが所望の機能を選択し、複写機に指示するためのものであり、コピー開始ボタン、機能選択や動作状況を表示するための画面などから構成されている。制御装置２は、ユーザインターフェース１を介して選択された機能および動作状況に応じて複写機全体の動作を制御する。
【００２８】
画像読み取り部３は、原稿画像を読み取って画像信号に変換する、ＣＣＤ等からなるフルカラーラインセンサを備え、原稿画像を読み取り、Ｂ（青）、Ｇ（緑）、Ｒ（赤）の画像信号を生成し、Ａ／Ｄ変換、シェーディング補正、ギャップ補正、色空間変換などの画像信号処理を施して、Ｌ*，ａ*，ｂ*の画像データを出力する。
【００２９】
画像処理部４は、Ｌ*、ａ*、ｂ*信号を入力して色や階調、その他画質を高めるための各種変換、補正処理、また編集処理等を行い、トナーの原色Ｙ（イエロー）、Ｍ（マゼンタ）、Ｃ（シアン）、Ｋ（ブラック）へ変換した信号を画像出力部５に供給する。画像出力部５は、Ｙ、Ｍ、Ｃ、Ｋ信号から、用紙に画像を形成し出力する。
【００３０】
また、上記画像処理部４は、画像認識部６を備えている。画像認識部６は、入力画像データに基づいて、原稿中に紙幣、有価証券等の特定原稿（複写禁止原稿）が存在するかどうかを認識し、その判定結果を制御装置２へ出力する。制御装置２は、画像認識部６から原稿中に特定原稿（複写禁止原稿）が存在するとの判定結果を受けた場合、画像処理部４および画像出力部５に対して、例えば単一色で塗り潰したり、出力そのものを停止するなど、正常な画像処理および出力を禁止する制御を行う。すなわち、画像認識部６における認識処理は、いかなる場合でも通常の画像出力を禁止できるような速さで判定を終了できるように構成されている。
【００３１】
次に、上述した画像読み取り部３について説明する。ここで、図２は、図１に示す画像読み取り部３の一部の画像入力装置の一例である。画像入力装置は、プラテン８、原稿走査ユニット９およぴこれを駆動するための駆動プーリ１０、ワイヤ１１を備えている。原稿走査ユニット９は、図示しないモータにより駆動されるワイヤ１１および駆動プーリ１０により、プラテン８上の原稿を走査して読み取る。
【００３２】
通常、原稿走査ユニット９は、１回の読み取り走査において、読み取り開始位置Ａから読み取り終了位置Ｂまで移動しながら走査して読み取りを終了し、読み取り開始位置Ａに戻る往復動作を行う。４色フルカラーコピーを行なう場合は、プラテン８上の原稿に対して、原稿走査ユニット９によって４回の走査のそれぞれでＲ，Ｇ，Ｂ情報が並列に読み込まれる。このＲ，Ｇ，Ｂ情報は、図１に示す画像読み取り部３、画像処理部４の処理を受けてＹ，Ｍ，Ｃ，Ｋ情報に変換される。１回目の走査では、Ｙ情報が、２回目、３回目、４回目の走査では、それぞれＭ，Ｃ，Ｋ情報が生成され、画像出力部５では、イエロー、マゼンタ、シアン、ブラックのトナー像が用紙上に順次重ねて転写され、４色からなるフルカラー画像が形成され出力される。また、３回の走査でＹ，Ｍ，Ｃの３色でフルカラー画像を形成したり、１回の走査でＹ，Ｍ，Ｃ，Ｋの４色を並列的に生成して、フルカラー画像を形成するようにしてもよい。
【００３３】
本第１の実施形態では、等倍指示の下に読み込まれる画像データ、または変倍指示の下に読み込まれ、出力するための画像データを第１の画像データとし、変倍指示の下、特定画像が存在するか否かを判定するために用いる画像データを第２の画像データとしている。言い換えると、画像認識部６は、等倍指示があった場合には、第１の画像データに基づいて特定画像が存在するか否かを判定し、変倍指示があった場合には、第２の画像データに基づいて特定画像が存在するか否かを判定することになる。変倍指示があった場合には、第２の画像データに加えて、倍率情報に従って、出力するための第１の画像データを読み込むことなる。また、第１の画像データは、等倍指示の場合には等倍で読み取られ、変倍指示の場合には倍率情報に応じた速度で走査することにより、変倍されて読み取られる。これに対して、第２の画像データは、常に等倍で読み取られる。
【００３４】
図１に示す画像認識部６では、第２の画像データ生成を行わない場合には、４回の走査で読み取られ、画像読み取り部３から入力されるそれぞれの第１の画像データに対して認識判定処理が行われるので、１つの原稿に対して４回の認識判定処理が行われることになる。これに対して、第２の画像データ生成を行う場合には、画像読み取り部３から入力される第２の画像データに対して認識判定処理が行われるので、１つの原稿に対して１回の認識判定処理が行われるように制御される。
【００３５】
なお、第１の画像データ生成のための２回目、３回目の各走査の後に、１回目の第１の画像データ生成のための走査の後と同様に、倍率情報により第２の画像データ生成のための走査を行うかどうかの判定を行い、第２の画像データを生成する場合には、第２の画像データ生成のための走査をそれぞれ行うようにすることで、１つの原稿に対して３回の認識判定が行われるように制御してもよい。このようにすることによって、いかなる場合でも等倍の画像データにて認識判定されるようにすることができる。
【００３６】
また、本第１の実施形態では、複数回の走査（３回または４回）で第１の画像データを読み込む場合、第１の画像データ生成のための１回目の走査の後に、第２の画像データ生成のための走査を行い、その後、第１の画像データ生成のための２回目以降の走査を行う。また、１回の走査で第１の画像データを読み込む場合には、第１の画像データ生成のための走査を行った後、第２の画像データ生成のための走査を行うか、あるいは第２の画像データ生成のための走査を行った後、第１の画像データ生成のための走査を行う。
【００３７】
また、本第１の実施形態では、原稿走査ユニット９は、読み取り開始位置Ａから読み取り終了位置Ｂまで移動する往路で、第１の画像データ生成のための走査を行い、読み取り開始位置Ａに戻る復路で、第２の画像データ生成のための走査を行う。すなわち、上述したように、複数回の走査で第１の画像データを読み込む場合には、読み取り開始位置Ａから読み取り終了位置Ｂまで移動する往路で原稿を走査し、第１の画像データを読み込み（１回目）、その後、読み取り終了位置Ｂから読み取り開始位置Ａへ戻る復路で原稿を走査し、第２の画像データを読み込む。したがって、１回の往復走査で、第１の画像データの１回目の読み込みと第２の画像データの読み込みとが終了する。
【００３８】
１回の走査でフルカラー画像を形成する場合においても、第２の画像データ生成を行う場合も行わない場合も、１回の原稿走査ユニット９の往復動作を完了できるが、紙幣等の複写禁止原稿であった場合に画像出力部５の正常なコピー出力動作を途中で禁止するため、出力される前に画像認識部６の認識判定処理を終了させる必要がある。その処理速度を達成できない場合には、第１の画像データ生成の走査の前に第２の画像データを読み込んで認識判定処理を進めておかなければならない。
【００３９】
したがって、この場合、まず、原稿走査ユニット９を位置Ａから位置Ｂに瞬時に移動させ、次に位置Ａ方向に移動させながら第２の画像データを読み込み、位置Ａに来たら位置Ｂ方向に移動させながら第１の画像データを読み込むようにする。あるいは、読み取り開始位置Ａから読み取り終了位置Ｂまで移動する往路で第２の画像データを読み込み、その後、読み取り終了位置Ｂから読み取り開始位置Ａへ戻る復路で第１の画像データを読み込むようにする。すなわち、第１の画像データ生成のための走査方向が復路であった場合には、第２の画像データ生成のための走査方向を往路としてもよい。
【００４０】
なお、第１の画像データ生成時と第２の画像データ生成時の原稿走査ユニット９の走査方向が逆であるため、同じ原稿であった場合でも、第１の画像データ生成時と第２の画像データ生成時で読み取られる画像データの入力順が相違する。そこで、これに対応する認識方法が必要となるが、例えば、特定原稿の特徴量として、特定エリアの色のヒストグラムを用いる方法や、特定点を中心としたある円周上の特定色の画素数を用いる方法や、（塗りつぶし）円などの画像を認識する場合は、走査方向の違いによる影響はない。また、画像メモリを使用して画像データの入力順を一定にすることで、いかなる特徴量においても走査方向による影響をなくすようにしてもよい。
【００４１】
Ａ−２．第１の実施形態の動作
次に、上述した第１の実施形態の動作について詳しく説明する。ここで、図３は、本第１の実施形態によるカラー複写機の動作を説明するためのフローチャートである。ユーザは、等倍コピーを行いたい場合、ユーザインターフェース１に対して等倍コピーの設定を行い、コピースタートの指示をする。制御装置２は、ユーザインターフェース１からの情報により各ブロックに動作指示を送る。この際、変倍情報に基づいて、変倍読み取りを行うかか否か，すなわち画像読み取り部３に対して第２の画像データ生成を行うか否かを判定する（ステップＳａ１）。
【００４２】
この場合、等倍であるので、制御装置２は、第１の画像データ生成の指示を画像読み取り部３に対して行う。画像読み取り部３は、第１の画像データ生成の指示を受け、等倍で原稿画像を読み取り、所定の信号処理を行い、Ｌ*，ａ*，ｂ*の画像データを出力する（ステップＳａ２）。
【００４３】
ここで、画像読み取り部３の動作について説明する。
まず、１回の走査でフルカラー画像を形成する場合について図４を参照して説明する。図４は、本第１の実施形態による画像入力装置の動作（１回走査）を説明するためのフローチャートである。図１に示す制御装置２から倍率などの情報を受け、図２に示す画像入力装置７は、走査を開始する。まず、原稿走査ユニット９を位置Ａから位置Ｂ方向に移動させながら第１の画像データ生成のための走査を行なう（ステップＳｂ１）。次に、倍率情報により第２の画像データ生成を行なうか否かを判定し（ステップＳｂ２）、第２の画像データ生成を行なわない場合には、原稿走査ユニット９を位置Ａ方向に瞬時に移動させ、原稿に対する走査を終了する。
【００４４】
次に、４回の走査でフルカラー画像を形成する場合について図５を参照して説明する。図５は、本第１の実施形態による画像入力装置の動作（複数回走査）を説明するためのフローチャートである。図１に示す制御装置２から倍率などの情報を受け、図２に示す画像入力装置７は、走査を開始する。まず、原稿走査ユニット９を位置Ａから位置Ｂ方向に移動させながら１回目の第１の画像データ生成のための走査を行なう（ステップＳｃ１）。次に、倍率情報により第２の画像データ生成を行なうか否かを判定し（ステップＳｃ２）、行なわない場合には、原稿走査ユニット９を位置Ａ方向に瞬時に移動させ、同様に２回目の第１の画像データ生成のための走査を行ない（ステップＳｃ４）、同様に、３回目（ステップＳｃ５）、４回目（ステップＳｃ６）の第１の画像データ生成のための走査を行い、１つの原稿に対する走査を終了する。
【００４５】
画像処理部４は、画像読み取り部３からの第１の画像データを受け、所定の画像処理を行い、Ｙ，Ｍ，Ｃ，Ｋ信号を出力する（ステップＳａ８）。また、画像認識部６では、画像処理部４の処理と並行して、画像読み取り部２からの第１の画像データを受け、原稿画像中に特定画像が含まれるか否かを判定し、判定結果を制御装置２に出力する（ステップＳａ５）。制御装置２は、特定原稿が含まれていると判定された場合には、画像処理部４に対して、通常の画像処理を禁止し、例えば一色でハードコピーを塗りつぶすなど、明らかに読み取った原稿画像とは異なるハードコピーを出力するように制御する（ステップＳａ７）。あるいは、画像出力部５に対して通常の画像出力を禁止し、画像出力動作開始を禁止する（ステップＳａ７）。このような処理を行うことによつて、無駄な用紙出力や、トナー、インクの消費を防止することができる。一方、特定原稿が含まれていないと判定された場合には、通常の画像処理および画像出力の指示を行い、画像出力部５によりハードコピーを出力する（ステップＳａ８、Ｓａ９）。
【００４６】
次に、ユーザが等倍以外のコピーを設定してコピースタートした場合、制御装置２は、等倍であるか否かを判定し（ステップＳａ１）、等倍ではないので、画像読み取り部３に対して第２画像データ生成の指示を行う。画像読み取り部３は、第２の画像データ生成を開始し、倍率に関わらず等倍と同じ速度で原稿画像を読み取り、所定の信号処理を行い、Ｌ*，ａ*，ｂ*の第２の画像データを生成するとともに（ステップＳａ３）、倍率情報に基づいた読み取り速度で原稿画像の副走査方向に対する変倍読み取りが行われ、所定の信号処理を行い、Ｌ*，ａ*，ｂ*の第１の画像データを生成する（ステップＳａ４）。
【００４７】
ここで、画像読み取り部３の動作について説明する。
まず、１回の走査でフルカラー画像を形成する場合には、図５に示すように、１回目の第１の画像データ生成のための走査が終了した位置Ｂから位置Ａ方向に原稿走査ユニット９を戻す過程において、第２の画像データ生成のための走査を行って原稿を読み取り（ステップＳｂ３）、位置Ａに戻って第２の画像データ生成のための走査を終了する。
【００４８】
次に、４回の走査でフルカラー画像を形成する場合には、図５に示すように、１回目の第１の画像データ生成のための走査が終了した位置Ｂから位置Ａ方向に原稿走査ユニット９を戻す過程において、第２の画像データ生成のための走査を行って原稿を読み取り（ステップＳｃ３）、位置Ａに戻って第２の画像データ生成のための走査を終了すると、その後、前述したように、位置Ａから位置Ｂ方向に原稿走査ユニット９を移動させながら２回目の第１の画像データ生成のための走査を行い（ステップＳｃ４）、読み取り終了したら位置Ａに原稿走査ユニット９を瞬時に移動させ、同様に３回目（ステップＳｃ５）、４回目（ステップＳｃ６）の第１の画像データ生成のための走査を行い、１つの原稿に対する走査を終了する。
【００４９】
このように、第２の画像データ生成を行う場合も行わない場合も原稿走査ユニット９の走査は４往復で終了する。第１の画像データ生成のための各走査における原稿走査ユニット９の走査速度は、倍率情報に応じた速度であるが、第２の画像データ生成のための走査における原稿走査ユニット９の走査速度は、常時、等倍時の走査速度である。
【００５０】
画像認識部６では、第２画像データを受け、特定原稿が含まれているか否かの認識処理を行い、判定結果を制御装置２に出力する（ステップＳａ５）。このとき、画像認識部６以外の画像処理部４においては、第２の画像データに対しては、いかなる処理も行われず、画像出力部５に対する画像データ出力はない。
【００５１】
画像処理部４では、第１の画像データを受け、主走査変倍などの各処理を行いＹ，Ｍ，Ｃ，Ｋ信号を出力する（ステップＳａ８）。このとき、画像認識部６においては、第１の画像データに対しては認識判定処理は行われない。制御装置２は、第２の画像データに対する画像認識部６からの判定結果を受け、特定原稿が含まれていないと判定された場合には、通常の画像処理および画像出力の指示を行い、画像出力部５では、第１の画像データに対応するハードコピーを出力する（ステップＳａ９）。
【００５２】
一方、特定原稿が含まれていると判定された場合には、画像処理部４に対して、通常の画像処理を禁止し、例えば一色でハードコピーを塗りつぶすなど、明らかに読み取った原稿画像とは異なるハードコピーを出力するように制御する（ステップＳａ７）。あるいは、画像出力部５に対して通常の画像出力を禁止し、画像出力動作開始を禁止する（ステップＳａ７）。このような処理を行うことによつて、無駄な用紙出力や、トナー、インクの消費を防止することができる。
【００５３】
Ｂ．第２の実施形態
次に、本発明の第２の実施形態について説明する。なお、カラー複写機の構成は、上述した第１の実施形態と同じであるので、図１を参照して説明する。ここで、図３は、第２の実施形態の動作を説明するためのフローチャートである。なお、等倍コピーの場合には、第１の実施形態と同様に、第１の画像データ生成（ステップＳｄ２）、画像処理（ステップＳｄ９）、認識処理（ステップＳｄ６）、画像出力（ステップＳｄ１０）が行われるので説明を省略する。等倍以外の場合には、制御装置２は、ユーザインターフェース１に設定された倍率が予め設定されている所定倍率範囲か否かを判定する（ステップＳｄ３）。
【００５４】
一般に、ユーザが紙幣などの複写禁止原稿を偽造しようとする場合、倍率は等倍あるいは等倍付近の拡大縮小倍率で行うことが予想される。等倍から離れた倍率で偽造を行うと、明らかに偽造物だと分かってしまうためである。明らかに本物と違う大きさの偽造コピーがなされたとしても一目で偽造物だと区別できるため、社会的には問題とならない。
【００５５】
このような点から第１の実施形態と比較して全体の生産性を向上させるために、変倍が指示された場合、等倍付近の所定倍率範囲（例えば８０％〜１２０％）であるか否かを判断し（ステップＳｄ３）、所定倍率範囲である場合には、不正コピーが行われる危険性があるので、第２の画像データ生成を行う。すなわち、画像読み取り部３は、第２の画像データ生成を開始し、倍率に関わらず等倍と同じ速度で原稿画像を読み取り、所定の信号処理を行い、Ｌ*，ａ*，ｂ*の第２の画像データを生成するとともに（ステップＳｄ５）、倍率情報に基づいた読み取り速度で原稿画像の副走査方向に対する変倍読み取りが行われ、所定の信号処理を行い、Ｌ*，ａ*，ｂ*の第１の画像データを生成する（ステップＳｄ４）。
【００５６】
画像認識部６では、第２画像データを受け、特定原稿が含まれているか否かの認識処理を行い、判定結果を制御装置２に出力する（ステップＳｄ６）。このとき、画像認識部６以外の画像処理部４においては、第２の画像データに対しては、いかなる処理も行われず、画像出力部５に対する画像データ出力はない。
【００５７】
また、画像処理部４では、第１の画像データを受け、主走査変倍などの各処理を行いＹ，Ｍ，Ｃ，Ｋ信号を出力する（ステップＳｄ９）。このとき、画像認識部６においては、第１の画像データに対しては認識判定処理は行われない。制御装置２は、第２の画像データに対する画像認識部６からの判定結果を受け、特定原稿が含まれていないと判定された場合には、通常の画像処理および画像出力の指示を行い、画像出力部５では、第１の画像データに対応するハードコピーを出力する（ステップＳｄ１０）。
【００５８】
一方、特定原稿が含まれていると判定された場合には、画像処理部４に対して、通常の画像処理を禁止し、例えば一色でハードコピーを塗りつぶすなど、明らかに読み取った原稿画像とは異なるハードコピーを出力するように制御する（ステップＳｄ８）。あるいは、画像出力部５に対して通常の画像出力を禁止し、画像出力動作開始を禁止する（ステップＳｄ８）。このような処理を行うことによつて、無駄な用紙出力や、トナー、インクの消費を防止することができる。
【００５９】
一方、所定倍率範囲外の場合には、第２の画像データ生成を行うことなく、倍率情報に従って第１の画像データ生成を行う（ステップＳｄ４）。そして、通常通り、画像処理部４により変倍処理を行い（ステップＳｄ９）、画像出力部５によりハードコピーを出力する（ステップＳｄ１０）。この場合、制御装置２は、前述したように偽造目的でない可能性が非常に高く、複写されたとしても社会的には問題とならないので、また、一般原稿を誤認識する可能性を低くするためにも、画像認識部６における認識処理は行わないように制御し、通常の画像処理、画像出力のみを行うよう制御する。
【００６０】
Ｃ．その他の実施形態の動作
次に、その他の実施形態について説明する。
前述した第１および第２の実施形態では、１回の走査でカラー原稿を読み込む場合、図４に示すように、原稿走査ユニットを位置Ａから位置Ｂ方向に移動させながら第１の画像データ生成のための走査を行い、位置Ｂから位置Ａ方向に戻りながら第２の画像データ生成のための走査を行っていた。しかし、前述したように、紙幣等の複写禁止原稿であった場合に画像出力部５の正常なコピー出力動作を途中で禁止するため、第１の画像データ生成の走査の前に第２の画像データを読み込んで認識判定処理を進める必要がある場合には、図７または図８に示すフローチャートに従って走査を行うようにすればよい。
【００６１】
まず、図７に示す例では、倍率情報により第２の画像データ生成を行なうか否かを判定し（ステップＳｅ１）、第２の画像データ生成を行なわない場合には、原稿走査ユニットを位置Ａから位置Ｂ方向に走査して第１の画像データ生成のための走査を行なう（ステップＳｅ２）。一方、第２の画像データ生成を行なう場合には、原稿走査ユニット９を位置Ｂ方向に瞬時に移動させ、位置Ｂから位置Ａ方向に戻りながら第２の画像データ生成のための走査を行なう（ステップＳｅ１）。そして、位置Ａから位置Ｂ方向に移動させながら第１の画像データ生成のための走査を行なう（ステップＳｅ２）。
【００６２】
次に、図８に示す例では、倍率情報により第２の画像データ生成を行なうか否かを判定し（ステップＳｆ１）、第２の画像データ生成を行なわない場合には、原稿走査ユニットを位置Ａから位置Ｂ方向に移動させながら第１の画像データ生成のための走査を行なう（ステップＳｆ２）。一方、第２の画像データ生成を行なう場合には、位置Ａから位置Ｂ方向に移動させながら第２の画像データ生成のための走査を行なう（ステップＳｆ３）。そして、位置Ｂから位置Ａ方向に戻りながら第１の画像データ生成のための走査を行なう（ステップＳｆ４）。
【００６３】
【発明の効果】
以上、説明したように、請求項１〜４記載の画像処理装置によれば、変倍処理を行なわない場合には、第２の画像データ生成のための走査（プレスキヤン）をせず、第１の画像データ生成のための走査（コピースキャン）で原稿画像を読み取り、該第１の画像データを処理して出力画像データを生成して出力する一方、変倍処理を行なう場合には、まず、変倍情報に依らない走査で原稿画像を読み取って第２の画像データを生成するか、あるいは複数回の第１の画像データ生成のための走査の途中で第２の画像データ生成のための走査を行うことで第２の画像データを生成し、次に、該第２の画像データに基づいて第１の画像データに対して適切な画像処理および画像出力を行なうようにしたので、常に第２の画像データ生成のために独立して走査を行なう場合に比べて全体のコピー生産性を向上させることができるという利点が得られる。
【００６４】
また、請求項５記載の画像処理装置によれば、第２の画像データ生成のための走査速度を変倍情報によらず、予め設定した一定の速度で走査して読み取るようにしたので、常に同じ解像度で第２の画像データを読み取られるので、処理および回路を簡素化することができるという利点が得られる。
【００６５】
また、請求項６記載の画像処理装置によれば、変倍処理を行なう場合でも所定範囲の倍率以外のときは、第２の画像データ生成を行なわず、第１の画像データ生成のみを行って、適切な画俊処理および画像出力を行なうようにしたので、さらにコピー生産性を向上させることができるという利点が得られる。
【００６６】
また、請求項７記載の画像処理装置によれば、第１の画像データ生成時と第２の画像データ生成時の読取手段の走査方向を逆とすることにより、例えば走査の往復移動の往路を第２の画像データ生成のための走査、復路を第１の画像データ生成のための走査とすることができるので、さらにコピー生産性が向上する。
【００６７】
また、請求項８記載の画像処理によれば、制御手段により、前記第１の画像データ生成手段によって生成された前記第１の画像データ、または前記第２の画像データ生成手段によって生成された前記第２の画像データのいずれか一方の等倍の画像データに基づいて、前記画像処理手段または前記出力手段のいずれか一方、あるいは双方の動作を制御するようにしたので、前記第１の画像データ、または前記第２の画像データのいずれか一方の等倍の画像データに不具合があった場合など、通常の画像処理あるいは出力動作を行わないようにすることができるという利点が得られる。
【００６８】
請求項９記載の画像処理装置によれば、特定画像を認識する手段、例えば紙幣等の偽造を防止する機能を備えることにより、特定画像を認識しなかった場合には、通常の画像処理および出力動作を行い、特定画像を認識した場合には、通常の画像処理あるいは出力動作を行わないようにしたので、紙幣等の偽造を防止することができるという利点が得られる。
【００６９】
請求項１０記載の画像処理装置によれば、前記特定画像認識手段は、前記変倍情報が変倍を指示しない場合には、前記第１の画像データに基づいて認識処理を行い、前記変倍情報が変倍を指示し、かつ所定範囲の倍率である場合には、第２の画換データに基づいて認識処理を行い、前記変倍情報が変倍を指示し、かつ所定範囲外の倍率である場合には、認識処理を行わないようにしたので、変倍を行う行わないに関わらず、常に、同じ解像度の画像データに対して認識処理を施せばよく、解像度変換回路を不要にすることができ、また、解像度変換による認識精度の低下が少ない偽造防止機能を提供することができるという利点が得られる。また、拡大縮小の度合いが大きい場合には、不要な認識処理を行わないようにしたので、生産性を向上させることができるという利点が得られる。
【図面の簡単な説明】
【図１】  本発明の一実施形態による画像処理装置の構成を示すブロック図である。
【図２】  第１の実施形態における画像入力装置の一例を示す図である。
【図３】  第１の実施形態における画像処理のフローチャートである。
【図４】  第１の実施形態における画像読み取り走査（１回走査）のフローチャートである。
【図５】  第１の実施形態における画像読み取り走査（複数回走査）のフローチャートである。
【図６】  第２の実施形態における画像処理のフローチャートである。
【図７】  他の実施形態における画像読み取り走査（１回走査）のフローチャートである。
【図８】  他の実施形態における画像読み取り走査（１回走査）のフローチャートである。
【符号の説明】
１  ユーザインターフェース（変倍指示手段）
２  制御装置（第１の画像データ生成手段、第２の画像データ生成手段）
３  画像読み取り部（読取手段）
４  画像処理部（画像処理手段）
５  画像出力部（出力手段）
６  画像認識部（特定画像認識手段）
７  画像入力装置
８  プラテン
９  原稿走査ユニット（読取手段）
１０  プーリ
１１  駆動ワイヤ
【図１】
0003700420.tif 000002
【図２】
0003700420.tif 000003
【図３】
0003700420.tif 000004
【図４】
0003700420.tif 000005
【図５】
0003700420.tif 000006
【図６】
0003700420.tif 000007
【図７】
0003700420.tif 000008
【図８】
0003700420.tif 000009